(57)【要約】【課題】電気やエアで駆動する回転工具の回転軸に装着して、ハツリ作業を行うことができ、ハツリ作業を行わないときは前記回転工具の回転軸から外しておくことのできるハツリ用アタッチメントを提供する。【解決手段】ハツリ用ビットＢを着脱自在として装着するようにしたホルダー１を前端部に有する振動軸２の後端部に設けた端面カム３を握り筒４内の前半部に挿入し、回転工具Ｔの回転軸Ｒに後端部を着脱自在として装着されるようにした回転軸５の前端部に設けた端面カム６を前記握り筒４内の後半部に挿入し、前記端面カム３と端面カム６を前記握り筒４内において突き合わせるようにしている。【選択図】図４
0003118580.tif 000002
【実用新案登録請求の範囲】
【請求項１】
ハツリ用ビット（Ｂ）を着脱自在として装着するようにしたホルダー（１）を前端部に有する振動軸（２）の後端部に設けた端面カム（３）を握り筒（４）内の前半部に挿入し、回転工具（Ｔ）の回転軸（Ｒ）に後端部を着脱自在として装着されるようにした回転軸（５）の前端部に設けた端面カム（６）を前記握り筒（４）内の後半部に挿入し、前記端面カム（３）と端面カム（６）を前記握り筒（４）内において突き合わせるようにしたことを特徴とするハツリ用アタッチメント。
【請求項２】
前記ホルダー（１）に、振動軸（２）に進退可能に外挿された操作筒（１２）と、振動軸（２）の外周面から挿入孔（１０）まで貫通する外拡がりのテーパ状の貫通孔（１３）と、この貫通孔（１３）に振動軸（２）の半径方向に移動可能に挿入されたボール（１４）と、振動軸（２）の外周に装着された止めリング（１５）と、振動軸（２）の外周面と操作筒（１２）との間に装着されて止めリング（１５）により抜け止めされたコイルばね（１６）とから構成されるロック機構（１１）を備えたものとしたことを特徴とする請求項１記載のハツリ用アタッチメント。
【請求項３】
前記操作筒（１２）をコイルばね（１６）の付勢力に対して前端側に移動させたときに、前記貫通孔（１３）と操作筒（１２）の後端部に形成した空間部（１２ａ）とが連通して、ボール（１４）が外方に移動可能となって、挿入孔（１０）にハツリ用ビット（Ｂ）が挿脱できる状態となり、前記操作筒（１２）がコイルばね（１６）の付勢力によって後端側に移動したときに、操作筒（１２）により内方へ移動したボール（１４）がハツリ用ビット（Ｂ）の周溝（９）に嵌まって振動軸（２）にハツリ用ビット（Ｂ）が抜け止め状態となるようにしたことを特徴とする請求項２記載のハツリ用アタッチメント。
【請求項４】
前記振動軸（２）の後端部を断面正六角形状とし、前記握り筒（４）の前端部に断面正六角形状の挿入孔（１７）を設けたものとして、振動軸（２）の後端部を握り筒（４）の挿入孔（１７）に支承したものとしたことを特徴する請求項１〜３のいずれかに記載のハツリ用アタッチメント。
【請求項５】
前記握り筒（４）の後端部に軸受け（１９）を取り付け、この軸受け（１９）に前記回転軸（５）の前端部を支承したものとしたことを特徴する請求項１〜４のいずれかに記載のハツリ用アタッチメント。
【請求項６】
前記握り筒（４）にハンドル（２０）を着脱自在に取り付けたものとしたことを特徴する請求項１〜５のいずれかに記載のハツリ用アタッチメント。
【考案の詳細な説明】
【技術分野】
【０００１】
この考案は、電気やエアで駆動する回転工具の回転軸に装着して、ハツリ作業を行えるようにしたハツリ用アタッチメントに関するものである。
【背景技術】
【０００２】
従来、ハツリ作業専用のハツリ工具は存在したが、電気やエアで駆動する回転工具の回転軸に装着して、ハツリ作業を行えるようにしたハツリ用アタッチメントは存在しなかった。
【０００３】
ハツリ作業専用のハツリ工具としては、図８に示したように、ヘラ状の工具３１が先端に取り付けられており、工具３１の後端３２には、往復運動するように構成されたハンマー３３が備えられており、軸方向に連打されるように構成されているものが存在する。そして、ハンマー３３は、図示されないピストンとシリンダによって往復動するように構成されている。さらに、工具３１の後端３２には、外周が六角形に形成された保持部３４で形成され、この保持部３４を回転方向で拘束する嵌合部３５が形成されている（特許文献１）。
【０００４】
また、このようなハツリ工具としては、図９に示したように、ピストン４１を前進させるための空気をためた前進アキュムレータ４２、ピストン４１を後退させるための空気をためておく復帰アキュムレータ４３を有するボデー４４には、シリンダ４５、ピストン４１よりなる駆動部、ピストン４１の往復運動を制御するスイッチ部４６、ピストン４１復帰時の空気を排出する排気口４７、この排気口４７の開閉を行うヘッドバルブ４８、ピストン４１を最前進位置でストップさせるダンパ４９が各々設けられたものが存在する。そして、ボデー４４のピストン前進方向位置には、ピストン４１の打撃力を被加工材５０に伝え、その刃部５１で被加工材５０を切削ハツリする打撃工具５２を位置させ、かつ打撃工具５２をその位置で往復可能に保持する保持部５３をボデー４４にボルトなどにより固定したものとしている（特許文献２）。
【特許文献１】特開昭５９−２３２７７５号公報（第１、２頁、第１図）
【特許文献２】特開昭５８−６６６７６号公報（第２頁、第３図）
【考案の開示】
【考案が解決しようとする課題】
【０００５】
しかしながら、上記従来のハツリ工具では、ハツリ作業専用であるので、前記ヘラ状の工具３１や切削ハツリする打撃工具５２をドライバービットに交換したところで、回転工具として使用することはできなかった。
【０００６】
そこで、この考案は、電気やエアで駆動する回転工具の回転軸に装着して、ハツリ作業を行うことができ、ハツリ作業を行わないときは前記回転工具の回転軸から外しておくことのできるハツリ用アタッチメントを提供することを目的としてなされたものである。
【課題を解決するための手段】
【０００７】
そのため、この考案のハツリ用アタッチメントは、ハツリ用ビットＢを着脱自在として装着するようにしたホルダー１を前端部に有する振動軸２の後端部に設けた端面カム３を握り筒４内の前半部に挿入し、回転工具Ｔの回転軸Ｒに後端部を着脱自在として装着されるようにした回転軸５の前端部に設けた端面カム６を前記握り筒４内の後半部に挿入し、前記端面カム３と端面カム６を前記握り筒４内において突き合わせるようにしている。
【０００８】
さらに、この考案のハツリ用アタッチメントは、前記ホルダー１に、振動軸２に進退可能に外挿された操作筒１２と、振動軸２の外周面から挿入孔１０まで貫通する外拡がりのテーパ状の貫通孔１３と、この貫通孔１３に振動軸２の半径方向に移動可能に挿入されたボール１４と、振動軸２の外周に装着された止めリング１５と、振動軸２の外周面と操作筒１２との間に装着されて止めリング１５により抜け止めされたコイルばね１６とから構成されるロック機構１１を備えたものとしている。
【０００９】
そして、この考案のハツリ用アタッチメントは、前記操作筒１２をコイルばね１６の付勢力に対して前端側に移動させたときに、前記貫通孔１３と操作筒１２の後端部に形成した空間部１２ａとが連通して、ボール１４が外方に移動可能となって、挿入孔１０にハツリ用ビットＢが挿脱できる状態となり、前記操作筒１２がコイルばね１６の付勢力によって後端側に移動したときに、操作筒１２により内方へ移動したボール１４がハツリ用ビットＢの周溝９に嵌まって振動軸２にハツリ用ビットＢが抜け止め状態となるようにしている。
【００１０】
また、この考案のハツリ用アタッチメントは、前記振動軸２の後端部を断面正六角形状とし、前記握り筒４の前端部に断面正六角形状の挿入孔１７を設けたものとして、振動軸２の後端部を握り筒４の挿入孔１７に支承したものとしている。
【００１１】
さらに、この考案のハツリ用アタッチメントは、前記握り筒４の後端部に軸受け１９を取り付け、この軸受け１９に前記回転軸５の前端部を支承したものとしている。
【００１２】
また、この考案のハツリ用アタッチメントは、前記握り筒４にハンドル２０を着脱自在に取り付けたものとしている。
【考案の効果】
【００１３】
この考案のハツリ用アタッチメントは、以上に述べたように構成されているので、電気やエアで駆動する回転工具の回転軸に装着して、ハツリ作業を行うことができ、ハツリ作業を行わないときは前記回転工具の回転軸から外しておくことができる。この考案のハツリ用アタッチメントを前記回転工具の回転軸から外し、その回転軸にドライバービット等を装着すれば、回転工具本来の孔開け作業などを行うことができるものとなる。
【考案を実施するための最良の形態】
【００１４】
以下、この考案のハツリ用アタッチメントの実施の形態を、図面に基づいて詳細に説明する。
【００１５】
この考案のハツリ用アタッチメントは、ハツリ用ビットＢのホルダー１を前端部に有する振動軸２の後端部に設けた端面カム３を握り筒４内の前半部に挿入し、回転軸５の前端部に設けた端面カム６を前記握り筒４内の後半部に挿入したものとしている。そして、前記端面カム３と端面カム６は、握り筒４内において突き合わせるようにしている。
【００１６】
ハツリ用ビットＢは、断面正六角形状の軸部７の前端部にハツリ用の刃部８を有しており、前記軸部７の後端部に断面アール状の周溝９を形成したものとしている。
【００１７】
ホルダー１は、前記ハツリ用ビットＢを着脱自在として装着するようにしており、振動軸２の前端部に設けた断面正六角形状の挿入孔１０にハツリ用ビットＢを挿入した状態において、このハツリ用ビットＢを離反不能にするロック機構１１を備えている。このロック機構１１は、振動軸２に進退可能に外挿された操作筒１２と、振動軸２の外周面から挿入孔１０まで貫通する外拡がりのテーパ状の貫通孔１３と、この貫通孔１３に振動軸２の半径方向に移動可能に挿入されたボール１４と、振動軸２の外周に装着された止めリング１５と、振動軸２の外周面と操作筒１２との間に装着されて止めリング１５により抜け止めされたコイルばね１６とから構成されている。そして、図２に示すように、操作筒１２をコイルばね１６の付勢力に対して前端側に移動させたときは、前記貫通孔１３と操作筒１２の後端部に形成した空間部１２ａとが連通して、ボール１４が外方に移動可能となって、挿入孔１０にハツリ用ビットＢが挿脱できる状態となる。また、図４、５に示すように、操作筒１２がコイルばね１６の付勢力によって後端側に移動したときは、操作筒１２により内方へ移動したボール１４がハツリ用ビットＢの周溝９に嵌まって振動軸２にハツリ用ビットＢが抜け止め状態となる。
【００１８】
振動軸２は、前端部に前記挿入孔１０を設けており、後端部を断面正六角形状とし、この後端部を握り筒４の前端部に設けた断面正六角形状の挿入孔１７に支承したものとしている。
【００１９】
握り筒４は、略全長にわたって外周が合成樹脂等の外装材１８で被覆されており、前端部に前記挿入孔１７を設けており、後端部にボールベアリング等の軸受け１９を取り付け、この軸受け１９に前記回転軸５の前端部を支承したものとしている。さらに、前記握り筒４には、ハンドル２０が着脱自在に取り付けられている。
【００２０】
回転軸５は、後端部を電気やエアで駆動する回転工具Ｔの回転軸Ｒに着脱自在として装着されるようにしている。この回転軸５は、断面正六角形状とし、後端部には断面アール状の周溝２１を形成したものとしており、チャックまたは前記ホルダー１のような保持手段２２よって、前記回転工具Ｔの回転軸Ｒに着脱自在として装着されるようにしている。
【００２１】
前記端面カム３は、振動軸２の後端に固着し、握り筒３内を摺動自在に前後する円柱胴３ａの先端部に設けられており、前記端面カム６は、回転軸５の前端に固着し、握り筒３内を摺動自在に回転する円柱胴６ａの先端部に設けられている。
【００２２】
以上のように構成したこの考案のハツリ用アタッチメントは、振動軸２の前端部にホルダー１によりハツリ用ビットＢを装着し、回転軸５の後端部を保持手段２２により回転工具Ｔの回転軸Ｒに装着した状態にする。
【００２３】
そして、前記回転工具Ｔの回転軸Ｒを回転させる。この回転工具Ｔの回転軸Ｒの回転により、ハツリ用アタッチメントの回転軸５が回転し、この回転軸５の回転によって端面カム６が回転し、この端面カム６と端面カム３が突き合うことにより、振動軸２が前後動することになる。すなわち、図４に示したように、振動軸２が後退して端面カム３が端面カム６に接近している状態では、この状態からこれらカムの作用により振動軸２が前進する。そして、振動軸２が前進して端面カム３が端面カム６から離れると、振動軸２が停止することになる。
【００２４】
そのため、回転工具Ｔと握り筒４を手で持ち、ハツリ用ビットＢを下向きの状態にしているときは、端面カム３が端面カム６から離れ、ハツリ用ビットＢは前後動せず、このハツリ用ビットＢを被作業面に当てると、振動軸２が後退して端面カム３が端面カム６に接近した状態となり、この状態からこれらカムの作用により振動軸２が前進することになる。
【００２５】
したがって、前記ハツリ用ビットＢを被作業面に当てている限り、振動軸２の前後動が繰り返されて、ハツリ用ビットＢによる被作業面の作業が行われることになる。
【００２６】
なお、握り筒３に着脱自在に取り付けられたハンドル２０は、被作業面の状態などによって使用し易いように、握り筒３に持ち替えて使用するものである。
【図面の簡単な説明】
【００２７】
【図１】この考案のハツリ用アタッチメントを回転工具に装着した状態を示す斜視図である。
【図２】この考案のハツリ用アタッチメントのホルダーへのハツリ用ビットの取り付け状態を示す要部断面図である。
【図３】この考案のハツリ用アタッチメントの振動軸に取り付けられた端面カムと回転軸に取り付けられた端面カムの斜視図である。
【図４】この考案のハツリ用アタッチメントの作動状態を示す要部断面図である。
【図５】この考案のハツリ用アタッチメントの作動状態を示す要部断面図である。
【図６】この考案のハツリ用アタッチメントの図５中のＡ−Ａ線による断面図である。
【図７】この考案のハツリ用アタッチメントの図５中のＢ−Ｂ線による断面図である。
【図８】従来のハツリ工具の一例を示す要部断面図である。
【図９】従来のハツリ工具の他の例を示す断面図である。
【符号の説明】
【００２８】
１  ホルダー
２  振動軸
３  端面カム
４  握り筒
５  回転軸
６  端面カム
１０  挿入孔
１１  ロック機構
１２  操作筒
１３  貫通孔
１４  ボール
１５  止めリング
１６  コイルばね
１７  挿入孔
１９  軸受け
２０  ハンドル
Ｂ  ハツリ用ビット
Ｔ  回転工具
Ｒ  回転軸
【図１】
0003118580.tif 000003
【図２】
0003118580.tif 000004
【図３】
0003118580.tif 000005
【図４】
0003118580.tif 000006
【図５】
0003118580.tif 000007
【図６】
0003118580.tif 000008
【図７】
0003118580.tif 000009
【図８】
0003118580.tif 000010
【図９】
0003118580.tif 000011